(57)【要約】【課題】            従来の耳標はＩＣタグの装着機構に難点があり、また、ＤＮＡ採取に関しての構成も複雑となっている。さらには耳標を装着した際の動物の耳殻の成長を考慮しておらず、耳標の装着部分が耳殻にあって深く陥没してしまい、動物に苦痛を与えてしまうこととなるという点である。【解決手段】        一部にフランジを形成した筒状の受体と、上端縁にフランジを形成し、先端にニードル部を一体に備え、前記受体内に挿入される挿し込み体とによりなり、その受体と挿し込み体とによって動物の耳殻に固着される耳標であって、前記した受体の二次側開口内面に採血容器の止着部を形成するとともに、フランジを備えた開口側の内面に前記ニードル部の段部が係合するストッパを形成し、かつ、挿し込み体のフランジ下方にＩＣタグの装着用止着部を形成してあることとする。【選択図】          図１
2010119333.tif 000002
【特許請求の範囲】
【請求項１】
一部にフランジを形成した筒状の受体と、上端縁にフランジを形成し、先端にニードル部を一体に備え、前記受体内に挿入される挿し込み体とによりなり、その受体と挿し込み体とによって動物の耳殻に固着される耳標であって、前記した受体の二次側開口内面に採血容器の止着部を形成するとともに、フランジを備えた開口側の内面に前記ニードル部の段部が係合するストッパを形成し、かつ、挿し込み体のフランジ下方にＩＣタグの装着用止着部を形成してあることを特徴とする耳標。
【請求項２】
前記した挿し込み体は動物の耳殻の成長に伴ない、受体内で摺動し、受体のフランジと挿し込み体のフランジ間の距離を拡げるものであることを特徴とする請求項１に記載の耳標。
【請求項３】
前記した受体のフランジは筒体の外周面の略中程に位置させ、挿し込み体のフランジとの間に耳殻の成長を許容するスペース間隔を有していることを特徴とする請求項１に記載の耳標。
【請求項４】
前記した採血容器内には細胞を含有する血を吸収するための素材が内蔵されるとともに、ヒンジを介してその採血容器の開口を閉塞する蓋体が一体的に連結されていることを特徴とする請求項１、請求項２または請求項３に記載の耳標。
【請求項５】
前記したヒンジもしくは採血容器の一部には装着器具と紐状の連結材で連結するための連結部が形成されていることを特徴とする請求項４に記載の耳標。
【請求項６】
一方の開口縁にフランジを形成した筒状の受体と、上端縁にフランジを形成し、先端にニードル部を一体に備え、前記受体内に挿入される挿し込み体とよりなり、その受体と挿し込み体とによって動物の耳殻に固着される耳標であって、前記した受体の他方開口はニードル部の先端が突出することを防止するガード部で一体的にカバーされ、フランジを備えた開口側の内面に前記したニードル部の段部が係合するストッパを形成し、かつ、受体のフランジ上方にＩＣタグの装着部を形成してあることを特徴とする耳標。
【請求項７】
前記したガード部には血抜き用の透孔が穿設されていることを特徴とする請求項６に記載の耳標。
【請求項８】
前記した挿し込み体には、動物の耳殻の成長に伴なって可動する調整プレートが嵌め付けられていることを特徴とする請求項６または請求項７に記載の耳標。
【請求項９】
前記したニードル部は三角錐状に形成されていることを特徴とする請求項１、請求項２、請求項３、請求項４、請求項５、請求項６、請求項７または請求項８に記載の耳標。
【発明の詳細な説明】
【技術分野】
【０００１】
本発明は耳標に関し、特に食肉用として飼育される豚や牛等の動物に、個体を識別するため耳殻に止着する耳標に関する。
【背景技術】
【０００２】
動物用、特に食肉用家畜の個体識別の重要性は狂牛病の発生等とも関連して、食の安全性を担保するうえで要求が高まっている。従前、この耳標は識別のための数字や記号等を表示したものを耳殻に取り付ける構成とされていたが、これは容易に偽装や付け替えもできるものとなっていた。
【０００３】
そこで、近時は個体情報を記録させたＩＣチップを耳標を介して、固着することが行なわれている。この耳標は、耳殻の両側から筒状の受体とその受体に挿し込まれる挿し込み部とより構成され、ペンチ状の装着用具を用いて、前記挿し込み部によって軟骨を砕きながら強制的に装着される。この装着の際に前記ＩＣチップを挟持させてやることとなる。
【０００４】
しかしながら、従来の耳標にあってはＩＣタグの保持機構に関し、このＩＣタグのみを取り外すことが耳殻を損傷させることなく行なえ、交換することも可能となってしまう。また、ＩＣタグによる個体情報に加え、より正確性を増すためのＤＮＡ情報も得るため、そのＤＮＡ採取を目的とした採血も機構的に複雑となり、作業が面倒となるうえ、その分の価格も高騰してしまう。
【特許文献１】特開２００６−３０４７６８号公報
【発明の開示】
【発明が解決しようとする課題】
【０００５】
本発明が解決しようとする問題点は、従来の耳標はＩＣタグの装着機構に難点があり、また、ＤＮＡ採取に関しての構成も複雑となっている。さらには耳標を装着した際の動物の耳殻の成長を考慮しておらず、耳標の装着部分が耳殻にあって深く陥没してしまい、動物に苦痛を与えてしまうこととなるという点である。
【課題を解決するための手段】
【０００６】
この問題点を解決するために、本発明に係る耳標は一部にフランジを形成した筒状の受体と、上端縁にフランジを形成し、先端にニードル部を一体に備え、前記受体内に挿入される挿し込み体とによりなり、その受体と挿し込み体とによって動物の耳殻に固着される耳標であって、前記した受体の二次側開口内面に採血容器の止着部を形成するとともに、フランジを備えた開口側の内面に前記ニードル部の段部が係合するストッパを形成し、かつ、挿し込み体のフランジ下方にＩＣタグの装着用止着部を形成してあることを特徴とし、前記した挿し込み体は動物の耳殻の成長に伴ない、受体内で摺動し、受体のフランジと挿し込み体のフランジ間の距離を拡げるものであることを特徴とし、前記した受体のフランジは筒体の外周面の略中程に位置させ、挿し込み体のフランジとの間に耳殻の成長を許容するスペース間隔を有していることを特徴としている。
【０００７】
また、本発明に係る耳標は前記した採血容器内には細胞を含有する血を吸収するための素材が内蔵されるとともに、ヒンジを介してその採血容器の開口を閉塞する蓋体が一体的に連結されていることを特徴とし、前記したヒンジもしくは採血容器の一部には装着器具と紐状の連結材で連結するための連結部が形成されていることを特徴としている。
【０００８】
さらに、本発明に係る耳標は一方の開口縁にフランジを形成した筒状の受体と、上端縁にフランジを形成し、先端にニードル部を一体に備え、前記受体内に挿入される挿し込み体とよりなり、その受体と挿し込み体とによって動物の耳殻に固着される耳標であって、前記した受体の他方開口はニードル部の先端が突出することを防止するガード部で一体的にカバーされ、フランジを備えた開口側の内面に前記したニードル部の段部が係合するストッパを形成し、かつ、受体のフランジ上方にＩＣタグの装着部を形成してあることを特徴とし、前記したガード部には血抜き用の透孔が穿設されていることを特徴とし、前記した挿し込み体には、動物の耳殻の成長に伴なって可動する調整プレートが嵌め付けられていることを特徴としている。
【０００９】
そして、本発明に係る耳標は前記したニードル部は三角錐状に形成されていることを特徴としている。
【発明の効果】
【００１０】
本発明に係る耳標は上記のように構成されている。そのために、ＩＣタグが安定されて保持され、偽装行為から安全に担保することができる。また、ＤＮＡ採取のための血液の採取に関しても簡易で確実性のあるものとなっている。
【００１１】
また、動物の耳殻が成長して肉厚となってきても、その成長分に対応した調整が自動的になされるものとなり、動物に過度の負担や苦痛を強いることもなくなる。加えて、ガード部を備えた場合、ニードル部の先端突出が防護されて、動物及び作業者がそのニードル部によって受傷してしまう事故が防止される。
【発明を実施するための最良の形態】
【００１２】
図面として示し、実施例で説明したように構成したことで実現した。
【実施例１】
【００１３】
次に、本発明の第一の実施例を図１乃至図６を参照して説明する。図１は本発明の第一実施例に係る耳標を示す装着前の縦断面図、図２は同じく装着時を示す縦断面図、図３は同じく採血容器を取り外した状態の縦断面図、図４は同じく耳殻が成長した状態を示す縦断面図、図５は同じく採血後の採血容器を示す縦断面図、図６は同じく平面図である。
【００１４】
これらの図にあって１は受体を示している。この受体１はプラスチック製の円筒状をしており、一次側の開口縁にフランジ２が一体に形成されており、この一次側の開口の内壁面には後述する挿し込み体のニードル部の段部が係合されて抜け止めされるリング状のストッパ３が一体的に形成されている。このストッパ３はその上面がニードル部の挿入をガイドするため擂鉢状のテーパが形成されたものとなっている。
【００１５】
この受体１の二次側開口部の内壁面には後述する採血容器の止着部４が形成されている。この止着部４はリング溝となっており、その最先端部分には採血容器を係合する間欠したリング状とし、断面半円状の係止部５、５が形成されている。
【００１６】
また、図中７は前記した受体１に挿し込まれる挿し込み体を示しており、この挿し込み体７もプラスチックによって成形されている。この挿し込み体７は中空とした円棒状をしており、基端周縁にはフランジ８が一体に形成されている。
【００１７】
このフランジ８の下面には括れさせたＩＣチップの取り付け部９が形成されており、その取り付け部９にＩＣチップ１０が嵌着固定されている。このＩＣチップ１０は装着される動物の個体情報が記録されたものとなっている。
【００１８】
この挿し込み体７の先端にはニードル部１１が一体に形成されている。このニードル部１１は三角錐状のものとされており、この三角錐状の形状が種々実験の結果、最も挿し込み力に優れ貫通される耳殻等に対しての損傷も少なくて済むものであることが判明した。また、このニードル部１１の基端には段部１２が形成され、この段部１２が前記したストッパ３と係合して抜け止めが図られることとなる。
【００１９】
さらに、図中１３は採血容器を示しており、この採血容器１３はプラスチックで成形され、上面を開口したものとなっており、下端縁にはフランジ１４が一体に形成されている。このフランジ１４の一部には採血容器１３を受体１から取り外す際の操作舌片１４ａが形成されている。また、採血容器１３の外周面には前記した係止部５、５‥と係合して位置決めされる係合部１５が一体に形成されている。
【００２０】
また、採血容器１３内には挿し込み体７のニードル部１１が耳殻Ｅを貫通して受体１に挿し込まれる際の出血を吸収する吸血材１６、例えば綿、不織布、スポンジ等のポーラス体が収納されているもので、この採血によってより正確な個体情報としてＤＮＡ情報を確保することができる。
【００２１】
そして、採血容器１３のフランジ１４の一部にはヒンジ１７を介して蓋体１８が一体に連結されている。この蓋体１８は採血容器１５の外側から被冠する構造となっており、その内面に前記した係合部１５と係合して閉塞状態を保持する係合部１９が形成されている。この蓋体１８の一部には開閉を操作する操作舌片１８ａが一体に形成されている。加えて、前記ヒンジ１７には紐状の連結材が取り付けられ、この連結材をペンチ状等の装着器具に連結して、採血容器１３の取り外し後の紛失を防止することができる。尚、この採血容器１３の取り外しはワンタッチでニードル部１１の先端によって装着時に押し外すことができる。さらに、前記した連結材には個体の識別番号を記したタグ（ラベル）を取り付け、ＩＣチップ１０と関連させて、個体識別を容易とし、トレーサリビティも確保することができる。
【００２２】
この第一実施例にあって、耳殻Ｅに装着した初期状態で、ニードル部１１の段部１２とストッパ３との間にはスペースＳが生じる構成となるが、このスペースＳは図４で示すように耳殻Ｅが成長して肉厚となった際のアジャスト機能を発揮し、挿し込み体７自体を耳殻Ｅの成長力でスライドさせ、成長後の耳殻Ｅの肉厚に順応させることができるものとしている。
【実施例２】
【００２３】
次に、本発明の第二の実施例を図７乃至図１２を参照して説明する。尚、実施例１と共通する部分については同一符号を付して詳細な説明は省略する。図７は第二実施例の装着前の縦断面図、図８は同じく装着後を示す縦断面図、図９は同じく採血容器を取り外した状態を示す縦断面図、図１０は同じく耳殻の成長後の状態を示す縦断面図、図１１は同じく採血容器を示す縦断面図、図１２は採血容器を示し、Ａは底面図、Ｂは断面図である。
【００２４】
これらの図７乃至図１２にあって、図中１ａは受体を示し、この受体１ａはプラスチック製の円筒体となっているが、第一実施例に比して全長は約３分の２程の短いものとされている。この受体１ａにおけるフランジ２ａは、受体１ａの外周にあってその全長の略中程に位置されたものとされ、採血容器１３ａの係合部５の位置も、採血容器１３ａの止着部４の奥方に形成されたものとなっている。
【００２５】
また、この受体１ａに対して挿し込み体７も相応して短く構成されている。即ち、挿し込み体７を、耳殻Ｅを貫通させて受体１ａに挿し込んだ状態で、ニードル部１１の段部１２とストッパ３との間にはスライドするスペースはないものとなるが、耳殻Ｅの成長に対応するアジャストは受体１ａのフランジ２ａとＩＣチップ１０との間に装着時に生じるスペースＳで行なうこととなる。
【００２６】
さらに、採血容器１３ａの係合部１５は受体１ａの係止部５の位置と対応して、外周面の開口寄りに形成されており、採血容器１３ａの底面外形を下向きの山形としてある。そして、蓋体１８における係合部１９ａは間欠的なものとして複数を形成した構成となっている。そして、ヒンジ７の略中央には紐状の連結材を取り付ける取り付け部としての透孔１７ａが形成され、連結材によって、採血容器１３ａが受体１ａから外された時に、装着器具に残るものとしている。
【００２７】
この第二の実施例にあっては、耳殻Ｅへの装着後に、その耳殻Ｅが成長すると、その成長した肉厚は前記したようにフランジ２ａとＩＣタグ１０との間に構成されたスペースＳによって吸収することとなり、耳殻Ｅの成長後は図１０として示す形態となる。
【実施例３】
【００２８】
次に、本発明の第三の実施例を図１３を参照して説明する。この第三の実施例にあって第一実施例、第二実施例と共通する部分は同一の符号を付して詳細な説明を省略する。図１２は本発明の第三実施例を示し、装着状態を示す縦断面図である。
【００２９】
この図１３にあって２１は受体を示し、この受体２１もプラスチックで成形された円筒状となっているが、この受体２１は二次側開口に円錐状としたガード部２２が一体的に形成され、挿し込み体７のニードル部１１の突出を防止し、作業者がそのニードル部１１によって怪我を負ってしまうことを防護している。
【００３０】
この受体２１は第二実施例と同様に短いサイズとされているが、一次側開口縁に一体形成されたフランジ２１ａの周縁上部には一部を切り欠いた立壁２３が一体形成され、この立壁２３に囲まれた位置にＩＣチップ１０がセットされるものとされている。
【００３１】
また、この第三実施例における挿し込み体７はサイズ的には長いものとなっており、耳殻Ｅの成長に伴ない、挿し込み体７に沿ってスライド移動する調整円板２４が嵌め付けられている。この調整円板２４の中心部分には挿し込み体７が挿通される透孔２４ａが形成され、この透孔２４ａには先端を挿し込み体７の外周面と当接しスライドを可能とするピン体２４ｂ、２４ｂ‥が放射状に複数本設けられている。
【００３２】
この第三実施例の場合、耳殻Ｅは受体２１の立壁２３の頂縁と調整円板２４に位置されることとなり、耳殻Ｅの成長に伴ない、調整円板２４がフランジ８方向へ移動してその肉厚分を吸収調整していくこととなる。この調整円板２４がないと、この第三実施例における耳標自体が立壁２３の頂縁と挿し込み体７のフランジ８との間の範囲で動いてしまうこととなり、このガタ付きを防止することとなる。
【００３３】
また、前記したカード部２２には挿し込み体７、強いてはニードル部１１が耳殻Ｅを貫通することによって生じる出血を外部に抜くための血抜き孔が複数構成されることとなる。
【産業上の利用可能性】
【００３４】
本願に係る耳標の実施例は上記のように構成されている。この耳標は食肉用として飼育される家畜、特に豚や牛に対し使用されることを想定しているが、その他の哺乳類にあっても医学的、動物学的な研究における使用も広く考慮できることになる。また、取り付け部としての透孔１７ａに代えて、採血容器の各フランジに透孔を設けたり、そのフランジや容器自体に連結材の取り付け用としての突起やくびれ等を形成することも自在に行なうことができる。
【図面の簡単な説明】
【００３５】
【図１】本発明の第一実施例に係る耳標を示す装着前の縦断面図である。
【図２】装着時を示す縦断面図である。
【図３】採血容器を取り外した状態の縦断面図である。
【図４】耳殻が成長した状態を示す縦断面図である。
【図５】採血後の採血容器を示す縦断面図である。
【図６】平面図である。
【図７】第二実施例の装着前の縦断面図である。
【図８】装着後を示す縦断面図である。
【図９】採血容器を取り外した状態を示す縦断面図である。
【図１０】耳殻の成長後の状態を示す縦断面図である。
【図１１】採血容器を示す縦断面図である。
【図１２】採血容器を示し、Ａは底面図、Ｂは断面図である。
【図１３】本発明の第三実施例を示し、装着状態を示す縦断面図である。
【符号の説明】
【００３６】
１    受体
２    フランジ
３    ストッパ
４    止着部
５    係止部
７    挿し込み体
８    フランジ
９    取り付け部
１０  ＩＣチップ
１１  ニードル部
１２  段部
１３  採血容器
１３ａ  採血容器
１４  フランジ
１４ａ  操作舌片
１５  係合部
１６  吸血材
１７  ヒンジ
１７ａ  透孔
１８  蓋体
１８ａ  操作舌片
１９  係合部
１９ａ  係合部
２１  受体
２２  ガード部
２３  立壁
２４  調整円板
２４ａ  透孔
２４ｂ  ピン体
Ｅ    耳殻
Ｓ    スペース
【図１】
2010119333.tif 000003
【図２】
2010119333.tif 000004
【図３】
2010119333.tif 000005
【図４】
2010119333.tif 000006
【図５】
2010119333.tif 000007
【図６】
2010119333.tif 000008
【図７】
2010119333.tif 000009
【図８】
2010119333.tif 000010
【図９】
2010119333.tif 000011
【図１０】
2010119333.tif 000012
【図１１】
2010119333.tif 000013
【図１２】
2010119333.tif 000014
【図１３】
2010119333.tif 000015
【手続補正書】
【提出日】平成20年11月20日(2008.11.20)
【手続補正１】
【補正対象書類名】明細書
【補正対象項目名】００２６
【補正方法】変更
【補正の内容】
【００２６】
さらに、採血容器１３ａの係合部１５は受体１ａの係止部５の位置と対応して、外周面の開口寄りに形成されており、採血容器１３ａの底面外形を下向きの山形としてある。そして、蓋体１８における係合部１９ａは間欠的なものとして複数を形成した構成となっている。そして、ヒンジ７の略中央には紐状の連結材を取り付ける取り付け部としての透孔１７ａが形成され、連結材によって、採血容器１３ａが受体１ａから外された時に、装着器具に残るものとしている。加えて、この採血容器１３ａの内部には吸血材１６の落下、抜け等の外れを防止するため、アンダーカットが設けられている。